(57)【要約】【課題】  電気信号用と光信号用のいずれのプラグもそれらを識別しつつ遅れなく確実にその挿入を検出できるようにすること。【解決手段】  ジャックのハウジング１に組み込んだ第１スリーブバネ２と、これと離接するメークバネ３と、第２スリーブバネ４とで構成する。第１スリーブバネ２は、先端を折り返して先端側の接片部２ｃとその手前の作用部２ｂを構成し、作用部２ｂをプラグ挿入孔１ａ側に向けてその長さ方向に沿ってその側方に配する。メークバネ３は、その接触部３ｂを第１スリーブバネ２の接片部２ｃと対面させつつ、これと平行にプラグ挿入孔１ａと反対側に配する。第２スリーブバネ４は、その先端接触部４ｂをハウジング１の上部からプラグ挿入孔１ａ中に開口する取付部の進入口に進入させた状態にする。【選択図】  図２
2007323960.tif 000002
【特許請求の範囲】
【請求項１】
ジャックハウジングのプラグ挿入孔に臨むべく配した可動接片であって、該プラグ挿入孔へのプラグの挿入によって変位する可動接片と、
該可動接片の変位によってこれと接触して導通し又は離間して非導通するメーク接片又はブレーク接片と、
前記ジャックハウジングのプラグ挿入孔に臨むべく配した二つの接片であって、各々挿入された電気信号用のプラグの一定の電極に接触し、これを介して導通することとなる二つの接片と、
で構成したジャックのプラグ挿入検出機構。
【請求項２】
前記可動接片を、プラグ挿入孔に挿入された電気信号用のプラグの前記一定の電極に接触して変位するように構成し、該可動接片を前記二つの接片の内の一方と兼用することとした請求項１のジャックのプラグ挿入検出機構。
【請求項３】
前記可動接片を、ジャックハウジングのプラグ挿入孔の側方に、その奥側から先端側にその長さ方向に沿って延長し、その先端にプラグ挿入孔に挿入されたプラグに接触してメーク動作又はブレーク動作するための作用部及び後記メークバネ又はブレークバネの接触部に接触するための接片部を備えたバネ型可動接片に構成し、
前記メーク接片又はブレーク接片を、前記バネ形可動接片に沿ってその背後側に配し、離間していた先端の接触部を、これに前記プラグ挿入孔に挿入されたプラグによって背後側に変位する該第バネ型可動接片の接片部が接触することとなるように、又は接触していた先端の接触部を、これから前記プラグ挿入孔に挿入されたプラグによって背後側に変位する該バネ型可動接片の接片部が離間することとなるように、位置決めしたメークバネ又はブレークバネに構成した請求項１のジャックのプラグ挿入検出機構。
【請求項４】
前記バネ型可動接片を、その作用部が、前記プラグ挿入孔に電気信号用のプラグが挿入された場合は、そのスリーブ電極に接触することとなる第１スリーブバネに構成すると共に、該第１スリーブバネを、前記二つの接片の内の一方と兼用することとし、
他方、前記二つの接片の内の他方を、その先端接触部を周方向に延長して、該プラグ挿入孔に電気信号用のプラグが挿入された場合に、そのスリーブ電極に接するように位置決めした第２スリーブバネであって、該先端接触部を、前記第１スリーブバネの作用部とは異なる周方向の部位に配した第２スリーブバネに構成した請求項３のジャックのプラグ挿入検出機構。
【請求項５】
前記第１スリーブバネの先端側を前記メークバネ又は前記ブレークバネ側に折り返し、その前記プラグ挿入孔に面する側を前記作用部として、該メークバネ又は該ブレークバネに面する側を接片部として、使用することとした請求項４のジャックのプラグ挿入検出機構。
【発明の詳細な説明】
【技術分野】
【０００１】
本発明は、オーディオ信号、或いはビデオ信号、その他の等の電気信号の授受に用いられるジャックに於いて、そのプラグ挿入孔にプラグが挿入されたことを検出するためのジャックのプラグ挿入検出機構に関するものである。
【背景技術】
【０００２】
従来、この種のジャックのプラグ挿入検出機構には、次の二つのタイプがある。
【０００３】
その一つは、プラグ挿入時に、そのプラグを介してジャックハウジングに配した二つのバネ片が導通状態となることで、プラグのプラグ挿入孔への挿入を検出する機構である。これには、例えば、プラグ挿入孔の周側部の一定の部位に配したバネ片と、該プラグ挿入孔の周側部の周方向に異なる他の部位に配した他のバネ片とで構成し、それぞれ該プラグ挿入孔に挿入されたプラグの対応する位置の電極に接触するようにしたものがある。
【０００４】
もう一つは、プラグ挿入時に、その挿入によって変位すべくジャックハウジングに配したバネ片を利用してメーク接点を構成し、それらの接点のメーク動作によりプラグのプラグ挿入孔への挿入を検出する機構である。これには、例えば、プラグ挿入孔の側方に、その奥側から先端側に向かって延長し、先端部手前を該プラグ挿入孔側に膨らませ、その先端側を接片部としたスイッチ部を構成したバネ片と、該バネ片の背後に平行に配したメークバネであって、その先端の接触部を、これに該プラグ挿入孔に挿入したプラグによって背後側に変位する該バネ片のスイッチ部の接片部が接触することとなるように、位置決めしたメークバネとで構成したものがある。
【０００５】
前者のタイプには、プラグ挿入孔に挿入された３極プラグのＧＮＤ部に接触する一つのピンと、同様に挿入された３極プラグのＧＮＤ部に接触する他のピンとを備えたプラグ挿入検知装置（特許文献１）がある。
【０００６】
以上の従来技術の内、前者の技術によれば、プラグ挿入孔に電気信号用のプラグが挿入された場合には、その周側の電極等を介して二つのバネ片間が導通し、これによってプラグの挿入を検出することができる。しかし誤って光信号用のプラグがこれに挿入された場合には、該プラグの該当する周側部には電気信号用のプラグの電極のような導電性の部材が配されていないため、対象の両バネ片間は導通せず、プラグが挿入されたことが全く検出されない問題が生じる。
【０００７】
後者の技術によれば、プラグ挿入孔にプラグが挿入されると、それが電気信号用又は光信号用のいずれのプラグであっても、この挿入によってバネ片が変位してメーク動作し、メークバネの接触部と接触することになり、これによってプラグの挿入が検出されることになる。しかしこの場合は、電気信号用又は光信号用のいずれのプラグでも同じように検出するため、その区別ができない問題がある。更には、前記のように、バネ片の先端部を接触部に、その手前をプラグ挿入孔側に膨らませてスイッチ部に構成したものであるため、プラグが該プラグ挿入孔に挿入された際に、これを検出するのに遅れが生じる問題もある。
【０００８】
【特許文献１】特開平１１−２８８７６６号公報
【発明の開示】
【発明が解決しようとする課題】
【０００９】
本発明は、前記従来技術の問題点を解決し、電気信号用のプラグと光信号用のプラグのいずれでも確実にその挿入を検出可能であり、かつ挿入されたプラグがそのいずれであるかを確実に検出できると共に、そのプラグの挿入を可能な限り早い段階で検出可能なようにしたジャックのプラグ挿入検出機構を提供することを解決の課題とするものである。
【課題を解決するための手段】
【００１０】
本発明の１は、ジャックハウジングのプラグ挿入孔に臨むべく配した可動接片であって、該プラグ挿入孔へのプラグの挿入によって変位する可動接片と、
該可動接片の変位によってこれと接触して導通し又は離間して非導通するメーク接片又はブレーク接片と、
前記ジャックハウジングのプラグ挿入孔に臨むべく配した二つの接片であって、各々挿入された電気信号用のプラグの一定の電極に接触し、これを介して導通することとなる二つの接片と、
で構成したジャックのプラグ挿入検出機構である。
【００１１】
本発明の２は、本発明の１のジャックのプラグ挿入検出機構に於いて、前記可動接片を、プラグ挿入孔に挿入された電気信号用のプラグの前記一定の電極に接触して変位するように構成し、該可動接片を前記二つの接片の内の一方と兼用することとしたものである。
【００１２】
本発明の３は、本発明の１のジャックのプラグ挿入検出機構に於いて、前記可動接片を、ジャックハウジングのプラグ挿入孔の側方に、その奥側から先端側にその長さ方向に沿って延長し、その先端にプラグ挿入孔に挿入されたプラグに接触してメーク動作又はブレーク動作するための作用部及び後記メークバネ又はブレークバネの接触部に接触するための接片部を備えたバネ型可動接片に構成し、
前記メーク接片又はブレーク接片を、前記バネ形可動接片に沿ってその背後側に配し、離間していた先端の接触部を、これに前記プラグ挿入孔に挿入されたプラグによって背後側に変位する該第バネ型可動接片の接片部が接触することとなるように、又は接触していた先端の接触部を、これから前記プラグ挿入孔に挿入されたプラグによって背後側に変位する該バネ型可動接片の接片部が離間することとなるように、位置決めしたメークバネ又はブレークバネに構成したものである。
【００１３】
本発明の４は、本発明の３のジャックのプラグ挿入検出機構に於いて、前記バネ型可動接片を、その作用部が、前記プラグ挿入孔に電気信号用のプラグが挿入された場合は、そのスリーブ電極に接触することとなる第１スリーブバネに構成すると共に、該第１スリーブバネを、前記二つの接片の内の一方と兼用することとし、
他方、前記二つの接片の内の他方を、その先端接触部を周方向に延長して、該プラグ挿入孔に電気信号用のプラグが挿入された場合に、そのスリーブ電極に接するように位置決めした第２スリーブバネであって、該先端接触部を、前記第１スリーブバネの作用部とは異なる周方向の部位に配した第２スリーブバネに構成したものである。
【００１４】
本発明の５は、本発明の４のジャックのプラグ挿入検出機構に於いて、前記第１スリーブバネの先端側を前記メークバネ又は前記ブレークバネ側に折り返し、その前記プラグ挿入孔に面する側を前記作用部として、該メークバネ又は該ブレークバネに面する側を接片部として、使用することとしたものである。
【発明の効果】
【００１５】
本発明の１のジャックのプラグ挿入検出機構によれば、プラグ挿入孔に電気信号用のプラグが挿入された場合は、可動接片とメーク接片とが導通し、又は可動接片とブレーク接片とが非導通となり、同時に前記二つの接片が前記一定の電極を介して導通することになるため、電気信号用のプラグが挿入されたことが検出される。また光信号用のプラグが挿入された場合は、可動接片とメーク接片とが導通し、又は可動接片とブレーク接片とが非導通となるが、他方、このとき、前記二つの接片は導通状態となることはないため、光信号用のプラグが挿入されたことが検出される。
【００１６】
従って本発明の１のジャックのプラグ挿入検出機構によれば、プラグの挿入が確実に検出でき、挿入されたプラグが電気信号用のそれか、誤って挿入された光信号用のそれかも確実に検出できることになる。
【００１７】
本発明の２のジャックのプラグ挿入検出機構によれば、前記可動接片を前記二つの接片の一方と兼用できるように構成したため、機構がコンパクトで簡明となったものである。
【００１８】
本発明の３のジャックのプラグ挿入検出機構によれば、前記可動接片及びその変位によりこれと接離するメーク接片又はブレーク接片の構成がコンパクトかつ合理的で確実に動作するものとなったものである。
【００１９】
本発明の４のジャックのプラグ挿入検出機構によれば、前記バネ型可動接片を前記二つの接片の内の一方と兼用可能に構成し、更に該二つの接片の内の他方をそれに応じた構成とすることにより、機構をコンパクトで簡明なものとすると共に、動作が確実に行われ得るようにしたものである。
【００２０】
本発明の５のジャックのプラグ挿入検出機構によれば、前記可動接片を構成する第１スリーブバネの作用部及び接片部を合理的に構成することにより、該作用部をプラグ挿入孔の入口側に寄せることが可能となり、該作用部を該プラグ挿入孔に挿入された電気信号用のプラグの最も基部側のスリーブ電極に容易に接触できるように位置決めすることが可能となったものである。その結果、プラグ挿入孔にプラグが挿入されると、直ちに前記作用部が該プラグの周側部に接触し、遅れなくその挿入を検出できることになる。
【発明を実施するための最良の形態】
【００２１】
本発明は、基本的に、可動接片と、これと離接するメーク接片又はブレーク接片と、他の二つの接片とで構成したジャックのプラグ挿入検出機構である。
【００２２】
前記可動接片は、ジャックハウジングのプラグ挿入孔に臨むべく配し、該プラグ挿入孔へのプラグの挿入によって変位するように構成したものである。前記メーク接片又はブレーク接片は、該可動接片の変位により、その所定部位と接触又は離間することとなるようにその構成及び位置関係を定めたものである。また前記二つの接片は、前記ジャックハウジングのプラグ挿入孔に臨むべく配し、各々挿入された電気信号用のプラグの一定の電極に接触し、これを介して導通することとなるように構成したものである。
【００２３】
前記可動接片は、プラグ挿入孔に挿入された電気信号用のプラグの前記一定の電極に接触して変位するように構成することにより、前記二つの接片の内の一方と兼用することとすることが可能になり、これを採用することで、機構をコンパクトで簡明なものとすることができる。
【００２４】
前記可動接片は、より具体的には、前記ジャックハウジングのプラグ挿入孔の側方に、その奥側から先端側にその長さ方向に沿って延長し、その先端にプラグ挿入孔に挿入されたプラグに接触してメーク動作又はブレーク動作するための作用部及び後記メークバネ又はブレークバネの接触部に接触するための接片部を備えたバネ型可動接片に構成することができる。
【００２５】
この場合は、前記メーク接片又はブレーク接片は、前記バネ形可動接片に沿ってその背後側に配し、離間していた先端の接触部を、これに前記プラグ挿入孔に挿入されたプラグによって背後側に変位する該第バネ型可動接片の接片部が接触することとなるように、又は接触していた先端の接触部を、これから前記プラグ挿入孔に挿入されたプラグによって背後側に変位する該バネ型可動接片の接片部が離間することとなるように、位置決めしたメークバネ又はブレークバネに構成するのが適当である。
【００２６】
更に前記バネ型可動接片は、前記のように、これを前記二つの接片の内の一方と兼用しようとする場合は、その作用部が、前記プラグ挿入孔に電気信号用のプラグが挿入された場合に、そのスリーブ電極に接触することとなる第１スリーブバネに構成するのが適当である。
【００２７】
該バネ型可動接片を上記のように該第１スリーブバネに構成し、前記二つの接片の内の一方と兼用することとした場合は、前記二つの接片の内の他方を、その先端接触部を周方向に延長して、該プラグ挿入孔に電気信号用のプラグが挿入された場合に、そのスリーブ電極に接するように位置決めした第２スリーブバネに構成するのが適当である。この第２スリーブバネは、云うまでもなく、その先端接触部を、該プラグ挿入孔の前記第１スリーブバネの作用部とは異なる周方向の部位に配することとする。
【００２８】
また前記第１スリーブバネは、その先端側を前記メークバネ又は前記ブレークバネ側に折り返し、そのプラグ挿入孔に面する側を前記作用部として使用することとし、該メークバネ又は該ブレークバネに面する側を接片部として使用することとするのが適当である。
【００２９】
従って本発明のジャックのプラグ挿入検出機構によれば、プラグ挿入孔に電気信号用のプラグが挿入された場合は、これによって可動接片が変位し、該可動接片とメーク接片とが接触して導通するに至り、又は可動接片とブレーク接片とが離間して非導通するに至り、他方、同時に前記二つの接片がそれぞれ該プラグの前記一定の電極に接触することにより、これを介して導通することになる。こうしてこのプラグ挿入検出機構では、電気信号用のプラグが挿入されたことが検出されることになる。
【００３０】
また前記プラグ挿入孔に誤って光信号用のプラグが挿入された場合は、電気信号用のプラグが挿入された場合と同様に動作して、可動接片とメーク接片とが導通するに至り、又は可動接片とブレーク接片とが非導通することとなるが、他方、このとき、前記二つの接片は、それぞれ該光信号用のプラグの周側には接するものの、該光信号用のプラグの周側には、スリーブ電極のような導電性部材が配してあることはないので、導通状態となることはない。こうして生じた可動接片とメーク接片又はブレーク接片の導通又は非導通と、このときに生じている前記二つの接片の非導通とによって、光信号用のプラグが挿入されたことが検出される。
【００３１】
こうして本発明のジャックのプラグ挿入検出機構によれば、プラグの挿入が確実に検出できるとともに、挿入されたプラグが電気信号用のそれか、光信号用のそれかも確実に検出できることになる。
【００３２】
前記のように、前記可動接片を前記二つの接片の一方と兼用する構成とした場合は、機構がコンパクトで簡明なものとなる。
【００３３】
前記可動接片を、前記したように、前記作用部及び前記接片部を備えたバネ型可動接片に構成し、前記メーク接片又は前記ブレーク接片を先端に接触部を備え、かつ所定の位置関係で位置決めしたメークバネ又はブレークバネに構成した場合は、前記プラグ挿入孔に電気信号用又は光信号用のいずれのプラグが挿入された場合でも、該バネ型可動接片の作用部が挿入されたプラグの周側部に当接して変位し、その接片部が、それまで離間していたメークバネの先端の接触部に接触するメーク動作をし、又はそれまで接触していたブレークバネの接触部から離間するブレーク動作を確実に行い、プラグ挿入の確実な検出動作を行うことができることになる。
【００３４】
前記バネ型可動接片を、前記したように、前記二つの接片の内の一方と兼用する第１スリーブバネに構成し、前記二つの接片の内の他方を前記第２スリーブバネに構成した場合は、前記プラグ挿入孔にプラグが挿入されると、それが電気信号用又は光信号用のいずれのプラグであっても作用部がその周側に当接して変位し、前記したように、その接片部がメークバネの接触部に接触するメーク動作を行い、又はブレークバネの接触部から離間するブレーク動作をして、プラグの挿入を確実に検出することができる。
【００３５】
他方、そのようにしてプラグ挿入孔に挿入されたプラグが電気信号用のそれである場合には、前記第１スリーブバネの作用部は挿入されたプラグのスリーブ電極に接触することになり、同時に、前記第２スリーブバネの先端接触部も該プラグのスリーブ電極の他の部位に接触することとなる。こうして第１スリーブバネと第２スリーブバネとは該プラグのスリーブ電極を介して導通し、このプラグを電気信号用のプラグであると判別することになる。
【００３６】
またそのようにしてプラグ挿入孔に挿入されたプラグが光信号用のそれである場合には、前記第１スリーブバネの作用部は挿入されたプラグの絶縁材で構成された周側に接触することになり、同様に、前記第２スリーブバネの先端接触部も該プラグの絶縁材で構成された周側に接触することとなる。そのため第１スリーブバネと第２スリーブバネとはその間に絶縁材を介在させることになり、両者間が導通することはなく、挿入されたプラグを、このとき前記第１スリーブバネとメークバネ又はブレークバネとの導通が生じていることから、光信号用のプラグであると判別することになる。
【００３７】
前記可動接片を構成する第１スリーブバネの作用部及び接片部を、前記のように、その先端側を前記メークバネ又は前記ブレークバネ側に折り返して構成した場合は、その接片部がメークバネ又はブレークバネの接触部に確実に接触可能になると共に、その作用部をプラグ挿入孔の最も入り口に近接する位置に位置させることが可能になり、その結果、プラグの挿入を遅れなく直ちに検出することが可能になったものである。また作用部をプラグ挿入孔に挿入された電気信号用のプラグのスリーブ電極に容易に接触可能となるように位置決めすることができるものでもある。
【実施例】
【００３８】
この実施例は本発明のジャックのプラグ挿入検出機構を電気信号授受用の多極ジャックに適用した例である。
【００３９】
この実施例のジャックのプラグ挿入検出機構は、図１〜図４に示すように、対象のジャックのハウジング１に組み込んだ第１スリーブバネ２と、これと離接するメークバネ３と、第２スリーブバネ４とで構成したものである。
【００４０】
前記ハウジング１は絶縁性のプラスチック素材で成形された部材であり、図１(a)、(b)、図２(a)〜(e)、図３(a)及び図４(a)、(b)に示すように、その中央に、長さ方向に沿ってプラグ挿入孔１ａが配されている。該プラグ挿入孔１ａは、同図に示すように、該ハウジング１の正面中央に挿入口を開口し、背面中央にも開口している。
【００４１】
前記ハウジング１には、図２(a)、(b)、(d)、(e)及び図４(a)、(b)に示すように、該プラグ挿入孔１ａに沿ってその右側方に前記第１スリーブバネ２及びメークバネ３を取り付けるため及びその動作のための取付空間１ｂが形成され、図１(c)、(e)、(f)、図２(a)〜(d)、図３(b)及び図４(a)、(b)に示すように、該ハウジング１の前部外側の左側下部から上部及び上部から該プラグ挿入孔１ａに開口する部位に第２スリーブバネ４の取り付けのための凹所、スリット及び開口部からなる取付部１ｃ等が構成されている。また該ハウジング１には、この他にも該プラグ挿入孔１ａの各部に臨むコンタクトバネ類を配するための複数の係止手段が配されている。詳細は必要に応じて後述する。
【００４２】
前記第１スリーブバネ２は、図１(a)、(b)、図２(a)〜(e)及び図４(a)、(b)に示すように、帯状のバネ基部２ａと、その先端側で折り返して形成した作用部２ｂ及び接片部２ｃと、その後端側から側方に張り出した端子部２ｄとで構成したものであり、その先端の折り返しは、折り返す側と反対側に膨らませた態様とし、その膨らませた部位を前記作用部２ｂとし、折り返し先端側を前記接片部２ｃとする。該第１スリーブバネ２は導電性のバネ材で構成したものである。
【００４３】
該第１スリーブバネ２は、先端側を先頭にし、前記作用部２ｂを前記プラグ挿入孔１ａ側に向けて、ハウジング１の背後側から前記取付空間１ｂに装入する。該取付空間１ｂには、該プラグ挿入孔１ａの側部に近接する側に装入し、そのバネ基部２ａの両側部を、図２(e)に示すように、該取付空間１ｂの上下に構成した取付スリットに挿入係止させ、前記端子部２ｄは、図１(b)、(d)〜(f)に示すように、該ハウジング１の後部右側下方に張出状態とする。なお、この状態で、図１(a)、(b)及び図２(a)、(b)に示すように、前記作用部２ｂは前記プラグ挿入孔１ａに進入状態となっている。
【００４４】
前記メークバネ３は、図(b)、図２(a)、(b)、(d)、(e)及び図４(a)、(b)に示すように、帯状のバネ基部３ａと、その先端部である接触部３ｂと、後端側から側方に張り出した端子部３ｃとで構成したものであり、バネ基部３ａの後部側途中の部位には返し片３ｄが形成してある。該メークバネ３は導電性のバネ材で構成したものである。
【００４５】
該第メークバネ３は、先端側の接触部３ｂを先頭にして、ハウジング１の背後側から前記取付空間１ｂに装入する。該取付空間１ｂには、前記第１スリーブバネ２より前記プラグ挿入孔１ａから離間した側に装入し、そのバネ基部３ａの両側部を、図２(e)に示すように、該取付空間１ｂの上下に構成した取付スリットに挿入係止させ、該バネ基部３ａの後部途中に形成した返し片３ｄを、図２(a)及び図４(a)に示すように、係止開口１ｄの縁に係止させ、更に前記端子部３ｃは、図１(d)〜(f)及び図２(e)に示すように、該ハウジング１の後部で、前記第１スリーブバネ２の端子部２ｄより前方寄りの右側下方に張出状態とする。前記係止開口１ｄは、図２(a)及び図４(a)に示すように、前記ハウジング１の側部に前記取付空間１ｂに開口する状態に形成した開口部である。なお、この状態で、図２(a)、(b)に示すように、前記接触部３ｂは、前記第１スリーブバネ２の接片部２ｃとは離間した状態になっている。
【００４６】
前記第２スリーブバネ４は、図１(a)、(c)、(e)、(f)、図２(a)〜(d)、図３(b)及び図４(a)、(b)に示すように、板状のバネ基部４ａと、その上端から腕部をほぼ直角方向に曲げ伸ばし、該腕部先端の下面側に半球状に膨出させた先端接触部４ｂと、前記バネ基部４ａの下部から該腕部と反対側に張り出した端子部４ｃとで構成したものであり、バネ基部４ａの中央部付近には返し片４ｄが形成してある。該第２スリーブバネ４は導電性のバネ材で構成したものである。
【００４７】
前記第２スリーブバネ４は、図１(b)、(c)、(e)、(f)、図２(a)〜(d)、図３(b)及び図４(a)、(b)に示すように、前記ハウジング１の前部左側から上部間に構成した取付部１ｃに取り付ける。前記バネ基部４ａを該ハウジング１の前左側部に構成してある取付部１ｃのスリットに上部から挿入しながら、その上端から曲げ伸ばした腕部を該ハウジング１の上部に位置させ、上部から前記プラグ挿入孔１ａ中に開口する取付部１ｃの進入口に該腕部先端の先端接触部４ｂを若干進入させる。この状態で、前記端子部４ｃは、該ハウジング１の前側下部から側方に張り出した状態になり、前記バネ基部４ａに形成した返し片４ｄは、特に図２(d)に示すように、該ハウジング１の側部に形成した取付部１ｃの係止段差部に係止し、該第２スリーブバネ４の抜け止めとなる。
【００４８】
なお、この他、図１(a)〜(f)、図２(a)〜(e)、図３(b)及び図４(a)、(b)に示すように、前記ハウジング１には、プラグ挿入孔１ａに挿入された電気信号用のプラグｐのチップ電極ｐ１に接触するチップバネ５、リング電極ｐ２に接触するリングバネ６、第２リング電極ｐ３に接触する第２リングバネ７及びアース金具８等が取り付けてある。なお、前記第１スリーブバネ２の作用部２ｂ及び前記第２スリーブバネ４の先端接触部４ｂは、該プラグｐのスリーブ電極ｐ４の相互に異なる部位に接触するようになっている。
【００４９】
従ってこの実施例のジャックのプラグ挿入検出機構によれば、前記プラグ挿入孔１ａに電気信号用のプラグｐが挿入された場合は、図２(a)、(b)に示すように、該プラグ挿入孔１ａ中に進出していた第１スリーブバネ２の作用部２ｂが、該プラグｐの周側部に当接することによって、図４(a)、(b)に示すように、後退させられ、該作用部２ｂの背後の接片部２ｃが前記メークバネ３の接触部３ｂに接触する（メーク動作する）ことになる。こうして該第１スリーブバネ２と該メークバネ３とは導通状態となる。
【００５０】
このとき、該第１スリーブバネ２の作用部２ｂは、前記し、かつ図４(a)に示すように、前記プラグｐの周側部の内、スリーブ電極ｐ４に接触しながら後退状態となっており、他方、前記第２スリーブバネ４の先端接触部４ｂも、図４(b)に示すように、前記取付部１ｃの進入口からプラグ挿入孔１ａの上部に進入してスリーブ電極ｐ４の上部側に接触状態となっている。そのため、該第１スリーブバネ２及び第２スリーブバネ４は、プラグｐのスリーブ電極ｐ４を介して導通状態となっている。
【００５１】
従って、前記のように、前記第１スリーブバネ２と前記メークバネ３とが導通状態になることで、前記プラグ挿入孔１ａに何らかのプラグが挿入されたことが検出され、更に、前記のように、第１スリーブバネ２と第２スリーブバネ４とが導通状態になることで、そのプラグが電気信号用のプラグｐであると確実に判別されることになる。
【００５２】
また前記プラグ挿入孔１ａに誤って光信号用のプラグが挿入された場合は、電気信号用のプラグｐが挿入された場合と同様に動作して、第１スリーブバネ２とメークバネ３とが導通状態になる。他方、このとき、該第１スリーブバネ２の作用部２ｂは、プラグの周側部に当接して後退状態にあり、前記第２スリーブバネ４の先端接触部４ｂも該プラグの周側部の上方の部位に接触しているが、該光信号用のプラグの周側には、スリーブ電極ｐ４のような導電性部材は施されていないため、該第１スリーブバネ２と該第２スリーブバネ４とが導通状態になることはない。
【００５３】
従って、前記のように、前記第１スリーブバネ２と前記メークバネ３とが導通状態になることで、前記プラグ挿入孔１ａに何らかのプラグが挿入されたことが検出され、更に、前記のように、第１スリーブバネ２と第２スリーブバネ４とが導通状態にならないことで、そのプラグが光信号用のプラグであると判別されることになる。
【００５４】
なお、この実施例では、前記第１スリーブバネ２の作用部２ｂを、前記のように、先端側で折り返し、プラグ挿入孔１ａ側に膨らませて形成したため、これがプラグ挿入孔１ａの最前部に近接する位置に位置することとなり、その結果、プラグ挿入孔１ａへのプラグｐの挿入を遅れなく直ちに検出することが可能になったものでもある。
【図面の簡単な説明】
【００５５】
【図１】(a)は本発明を適用した実施例のジャックの正面図、(b)は背面図、(c)は左側面図、(d)は右側面図、(e)は平面図、(f)は底面図。
【図２】(a)は図１(a)のＡ−Ａ線断面図、(b)は図１(e)のＢ−Ｂ線断面図、(c)は図１(f)のＣ−Ｃ線断面図、(d)は図１(e)のＤ−Ｄ線断面図、(e)は図１(e)のＥ−Ｅ線断面図。
【図３】(a)はプラグを挿入した状態の実施例のジャックの正面図、(b)はその平面図。
【図４】(a)は図３(a)のＦ−Ｆ線断面図、(b)は図３(b)のＧ−Ｇ線断面図。
【符号の説明】
【００５６】
１    ハウジング
１ａ  プラグ挿入孔
１ｂ  取付空間
１ｃ  取付部
１ｄ  係止開口
２    第１スリーブバネ
２ａ  バネ基部
２ｂ  作用部
２ｃ  接片部
２ｄ  端子部
３    メークバネ
３ａ  バネ基部
３ｂ  接触部
３ｃ  端子部
３ｄ  返し片
４    第２スリーブバネ
４ａ  バネ基部
４ｂ  先端接触部
４ｃ  端子部
４ｄ  返し片
５    チップバネ
６    リングバネ
７    第２リングバネ
８    アース金具
ｐ    電気信号用のプラグ
ｐ１  チップ電極
ｐ２  リング電極
ｐ３  第２リング電極
ｐ４  スリーブ電極
【図１】
2007323960.tif 000003
【図２】
2007323960.tif 000004
【図３】
2007323960.tif 000005
【図４】
2007323960.tif 000006